(57)【要約】      （修正有）【課題】小動物を捕獲することなく、比較的大きい野性動物のみを捕獲することができる動物捕獲用罠を提供する。【解決手段】動物捕獲用罠１００は、踏み板１２１と、踏み板に回動自在に取り付けられたＵ字状の一対の作動部材１２２、１２３と、一対の作動部材を横倒姿勢から起立姿勢に付勢するばね１２４、１２５と、踏み板に所定の閾値以上の荷重が加わると一対の作動部材の保持を解除するように構成された保持部材１３１、１３５とを含む作動装置１２０を有する。さらに、踏み板を降下可能に一対の作動部材を支持する台１１１、１１２、一対の作動部材の外周に離脱可能に輪状に引っ掛けられた捕獲ワイヤ、及び捕獲ワイヤを縮径方向に付勢するばね装置を有する。【選択図】図１
0003177399.tif 000002
【実用新案登録請求の範囲】
【請求項１】
野性動物の脚等をワイヤで緊縛する動物捕獲用罠であって、踏み板と、前記踏み板に回動自在に取り付けられ、前記踏み板の外縁から外側に張り出された延在部を備えたＵ字状の一対の作動部材と、前記一対の作動部材を横倒姿勢から起立姿勢に付勢するばねと、前記踏み板に荷重が加わると荷重が加わるように前記一対の作動部材を前記ばねの付勢力に抗って横倒姿勢に保持しており、所定の閾値より小さい荷重が加わると前記一対の作動部材の保持を継続するが、所定の閾値以上の荷重が加わると前記一対の作動部材の保持を解除するように構成された保持部材とを含む作動装置、前記踏み板を降下可能に前記一対の作動部材の前記延在部を支持する台、前記一対の作動部材の外周に離脱可能に輪状に引っ掛けられた捕獲ワイヤ、及び前記捕獲ワイヤを縮径方向に付勢するばね装置を有することを特徴とする動物捕獲用罠。
【請求項２】
前記保持部材は、前記踏み板に固定されたホルダと、前記踏み板に荷重が加わると荷重が加わるように、前記ホルダに取り付けられた状態で前記一対の作動部材を保持可能な掛止片とを有し、前記掛止片は所定の閾値より小さい荷重が加わると前記一対の作動部材の保持を継続するが、所定の閾値以上の荷重が加わると前記一対の作動部材の保持を解除するように構成されていることを特徴とする請求項１に記載の動物捕獲用罠。
【請求項３】
前記掛止片は、所定の閾値より小さい荷重が加わっても折損しないが、所定の閾値以上の荷重が加わると折損するように構成されていることを特徴とする請求項２に記載の動物捕獲用罠。
【請求項４】
前記掛止片は１つ又は２つ以上設けられており、少なくとも１つで前記一対の作動部材を前記ばねの付勢力に抗って保持可能に構成されていることを特徴とする請求項２又は請求項３に記載の動物捕獲用罠。
【請求項５】
前記一対の作動部材には、前記一対の作動部材の外周から離脱した前記捕獲ワイヤを掛止可能な支持片が設けられており、前記支持片は前記捕獲ワイヤを掛止した後で前記捕獲ワイヤの掛止を解除するように構成されていることを特徴とする請求項１から請求項４までのいずれか１項に記載の動物捕獲用罠。
【請求項６】
前記支持片は前記捕獲ワイヤが突き当ると折損するように構成されていることを特徴とする請求項５に記載の動物捕獲用罠。
【請求項７】
前記支持片は前記一対の作動部材の全周に亘って互いに所定の角度範囲を開けて複数設けられていることを特徴とする請求項５又は請求項６に記載の動物捕獲用罠。
【考案の詳細な説明】
【技術分野】
【０００１】
本考案は、猪や鹿等の野生動物を捕獲するための狩猟用や有害獣駆除用の野性動物用罠に関し、特に、野性動物の脚等をワイヤで緊縛して捕獲するのに好適な構造に関する。
【背景技術】
【０００２】
従来から、輪状のワイヤをばねによって跳ね上げて、野性動物の脚等をワイヤで括るように構成された動物捕獲用罠が知られており、例えば、特許文献１に記載されている。特許文献１に記載の動物捕獲用罠（猪捕獲補助器具）は、踏み板と、踏み板に対して回動自在に設けられ、外側に張り出した羽根部を備えた半円弧状の一対の作動部材（Ｕ字アーム）と、一対の作動部材を横倒姿勢から起立姿勢に付勢するばね（跳ね上げスプリング）と、一対の作動部材を横倒姿勢に保持する保持部材（跳ね上げストッパー）とを含む作動装置（猪捕獲器具）、一対の作動部材の外周に離脱可能に輪状に引っ掛けられる捕獲ワイヤ（猪捕獲ワイヤー）、及び捕獲ワイヤを縮径方向に付勢するばね装置を有しており、地面に穴（凹部）を掘り、この穴の開口縁で羽根部を支持するように作動装置を穴の上に設置するものである。この動物捕獲用罠は、野性動物が踏み板を踏むと、踏み板が穴の中に降下するとともに、保持部材が一対の作動部材の保持を解除して、ばねが一対の作動部材を跳ね上げるように作動する。
【先行技術文献】
【特許文献】
【０００３】
【特許文献１】実用新案登録第３１６０１５０号公報
【考案の概要】
【考案が解決しようとする課題】
【０００４】
この特許文献１に記載の動物捕獲用罠は、ばねが一対の作動部材を跳ね上げることによって、一対の作動部材が捕獲ワイヤを跳ね上げるので、捕獲ワイヤが野性動物の脚等を付け根側で括ることができ、野性動物を確実に捕獲することができる。この特許文献１から保持部材の具体的な構造は不明だが、野性動物が踏み板を踏むと、保持部材は常に一対の作動部材の保持を解除すると思われるので、猪や鹿等の大型動物を捕獲する目的でこの動物捕獲用罠を設置しても、ネズミやハクビシン等の小動物を捕獲しまう場合がある。このため、特許文献１に記載の動物捕獲用罠は捕獲対象を絞ることができないという問題がある。
【０００５】
そこで、本考案は上記問題点を解決するものであり、その課題は、捕獲対象外の小動物を捕獲してしまうことなく、捕獲対象の比較的大きい野性動物のみを捕獲することができる動物捕獲用罠を提供することにある。
【課題を解決するための手段】
【０００６】
上記課題を解決するために本考案の動物捕獲用罠は、野性動物の脚等をワイヤで緊縛する動物捕獲用罠であって、踏み板と、前記踏み板に回動自在に取り付けられ、前記踏み板の外縁から外側に張り出された延在部を備えたＵ字状の一対の作動部材と、前記一対の作動部材を横倒姿勢から起立姿勢に付勢するばねと、前記踏み板に荷重が加わると荷重が加わるように前記一対の作動部材を前記ばねの付勢力に抗って横倒姿勢に保持しており、所定の閾値より小さい荷重が加わると前記一対の作動部材の保持を継続するが、所定の閾値以上の荷重が加わると前記一対の作動部材の保持を解除するように構成された保持部材とを含む作動装置、前記踏み板を降下可能に前記一対の作動部材の前記延在部を支持する台、前記一対の作動部材の外周に離脱可能に輪状に引っ掛けられた捕獲ワイヤ、及び前記捕獲ワイヤを縮径方向に付勢するばね装置を有することを特徴とする。
【０００７】
この考案によれば、野性動物の脚等をワイヤで緊縛する動物捕獲用罠であって、踏み板と、前記踏み板に回動自在に取り付けられ、前記踏み板の外縁から外側に張り出された延在部を備えたＵ字状の一対の作動部材と、前記一対の作動部材を横倒姿勢から起立姿勢に付勢するばねと、前記踏み板に荷重が加わると荷重が加わるように前記一対の作動部材を前記ばねの付勢力に抗って横倒姿勢に保持しており、所定の閾値より小さい荷重が加わると前記一対の作動部材の保持を継続するが、所定の閾値以上の荷重が加わると前記一対の作動部材の保持を解除するように構成された保持部材とを含む作動装置、前記踏み板を降下可能に前記一対の作動部材の前記延在部を支持する台、前記一対の作動部材の外周に離脱可能に輪状に引っ掛けられた捕獲ワイヤ、及び前記捕獲ワイヤを縮径方向に付勢するばね装置を有することにより、前記保持部材は、前記踏み板に荷重が加わると荷重が加わるように前記一対の作動部材を前記ばねの付勢力に抗って横倒姿勢に保持しており、所定の閾値より小さい荷重が加わると前記一対の作動部材の保持を継続するが、所定の閾値以上の荷重が加わると前記一対の作動部材の保持を解除するので、小動物が前記踏み板に乗ることによって前記保持部材に所定の閾値より小さい荷重が加わっても前記一対の作動部材を作動させないようにすることができるとともに、比較的大きい動物が前記踏み板に乗ることによって前記保持部材に所定の閾値以上の荷重が加わると前記一対の作動部材を作動させることができる。
【０００８】
ここで、前記一対の作動部材はＵ字状に湾曲していてもよいし、半円弧状に湾曲していてもよいし、Ｕ字状に屈曲していてもよい。また、前記一対の作動部材の前記延在部は、前記一対の作動部材自体の一部、例えば中央部分であってもよいし、前記一対の作動部材に設けられた突起や鍔部であってもよい。また、前記台は一対の角柱や円柱でもよいし、内部が開口した１つの角筒状や円筒状の枠体でもよい。また、前記台は前記踏み板を降下可能に一対の作動部材を支持するために、前記踏み板の厚みより幅厚に形成されていることが望ましい。なお、前記ばねは１つでもよいし、２つでもよい。前記ばねが２つある場合には、前記一対の作動部材をそれぞれ跳ね上げるように設けられていることが望ましい。前記ばねと同様に、前記保持部材は１つでもよいし、２つでもよい。前記保持部材が２つある場合には、前記一対の作動部材をそれぞれ保持するように設けられていることが望ましい。また、前記保持部材は折損又は破損することによって前記一対の作動部材の保持を解除してもよいし、塑性変形又は弾性変形することによって前記一対の作動部材の保持を解除してもよい。また、前記台は前記踏み板より幅厚であることが望ましい。
【０００９】
本考案において、前記保持部材は、前記踏み板に固定されたホルダと、前記踏み板に荷重が加わると荷重が加わるように、前記ホルダに取り付けられた状態で前記一対の作動部材を保持可能な掛止片とを有し、前記掛止片は所定の閾値より小さい荷重が加わると前記一対の作動部材の保持を継続するが、所定の閾値以上の荷重が加わると前記一対の作動部材の保持を解除するように構成されていることが好ましい。
【００１０】
この考案によれば、前記保持部材は、前記踏み板に固定されたホルダと、前記踏み板に荷重が加わると荷重が加わるように、前記ホルダに取り付けられた状態で前記一対の作動部材を保持可能な掛止片とを有し、前記掛止片は所定の閾値より小さい荷重が加わると前記一対の作動部材の保持を継続するが、所定の閾値以上の荷重が加わると前記一対の作動部材の保持を解除するように構成されていることにより、小動物が前記踏み板に乗ることによって前記掛止片に所定の閾値より小さい荷重が加わっても前記一対の作動部材を作動させないようにすることができるとともに、比較的大きい動物が前記踏み板に乗ることによって前記掛止片に所定の閾値以上の荷重が加わると前記一対の作動部材を作動させることができる。
【００１１】
ここで、前記保持部材は１つでもよいし、２つでもよい。前記保持部材が２つある場合には、前記一対の作動部材をそれぞれ保持するように設けられていることが望ましい。また、前記掛止片は１つでもよいし、２つ以上でもよい。また、前記掛止片は折損又は破損することによって前記一対の作動部材の保持を解除してもよいし、塑性変形又は弾性変形することによって前記一対の作動部材の保持を解除してもよい。また、前記掛止片は前記ホルダに着脱自在に取り付けられていてもよいし、着脱不可能に固定されていてもよい。また、前記掛止片は一方向に伸びる細長い形状を有しており、例えば爪楊枝やマッチ棒である。前記ホルダは前記掛止片を保持可能な孔や凹部や環状部が設けられていることが望ましい。
【００１２】
本考案において、前記掛止片は、所定の閾値より小さい荷重が加わっても折損しないが、所定の閾値以上の荷重が加わると折損するように構成されていることが好ましい。この考案によれば、前記掛止片は、所定の閾値より小さい荷重が加わっても折損しないが、所定の閾値以上の荷重が加わると折損するように構成されているので、前記掛止片が折損することによって前記一対の作動部材の保持が解除されるようになっている。
【００１３】
本考案において、前記掛止片は１つ又は２つ以上設けられており、少なくとも１つで前記一対の作動部材を前記ばねの付勢力に抗って保持可能に構成されていることが好ましい。この考案によれば、前記掛止片は１つ又は２つ以上設けられており、少なくとも１つで前記一対の作動部材を前記ばねの付勢力に抗って保持可能に構成されていることにより、前記掛止片の数量を増減させて前記一対の作動部材を保持でき、前記掛止片の数量の増減によって前記一対の作動部材の保持強度を増減させて、前記一対の作動部材の保持を解除し難くしたり解除し易くしたりすることができる。
【００１４】
本考案において、前記一対の作動部材には、前記一対の作動部材の外周から離脱した前記捕獲ワイヤを掛止可能な支持片が設けられており、前記支持片は前記捕獲ワイヤを掛止した後で前記捕獲ワイヤの掛止を解除するように構成されていることが好ましい。
【００１５】
この考案によれば、前記一対の作動部材には、前記一対の作動部材の外周から離脱した前記捕獲ワイヤを掛止可能な支持片が設けられており、前記支持片は前記捕獲ワイヤを掛止した後で前記捕獲ワイヤの掛止を解除するように構成されていることにより、前記一対の作動部材の外周から離脱した前記捕獲ワイヤは、前記支持片に掛止された後で前記支持片から離脱するので、前記支持片が前記一対の作動部材に設けられていない場合に比べて、前記捕獲ワイヤが前記一対の作動部材から離脱する時間を遅らせることができ、前記捕獲ワイヤが前記一対の作動部材から離脱する位置をより高くすることができる。
【００１６】
ここで、前記支持片は例えば凸部や突起であり、前記捕獲ワイヤを乗り越え可能に形成したり、前記捕獲ワイヤが突き当ると折損、破損、塑性変形又は弾性変形したりして前記捕獲ワイヤの掛止を解除するように構成されていてもよい。また、前記支持片は１つでもよいし、２つ以上でもよい。前記支持片が２つ以上ある場合には、前記一対の作動部材のそれぞれに少なくとも１つずつ設けられていることが望ましい。特に、前記支持片は前記一対の作動部材の中央部分に少なくとも１つずつ設けられていることが望ましい。また、前記支持片は前記一対の作動部材に着脱自在に取り付けられていてもよいし、着脱不可能に固定又は一体形成されていてもよい。また、前記支持片は前記一対の作動部材の外周のうち前記捕獲ワイヤの設置位置より上側位置に設けられていることが望ましく、前記一対の作動部材の外周から外側に突出していることが望ましい。
【００１７】
本考案において、前記支持片は前記捕獲ワイヤが突き当ると折損するように構成されていることが好ましい。この考案によれば、前記支持片は前記捕獲ワイヤが突き当ると折損するように構成されていることにより、前記捕獲ワイヤは前記支持片を折損して前記支持片から離脱するようになっている。なお、前記支持片は一方向に伸びる細長い形状を有していてもよく、例えば爪楊枝やマッチ棒である。また、前記一対の作動部材には前記支持片を保持可能な孔や凹部が設けられていてもよい。
【００１８】
本考案において、前記支持片は前記一対の作動部材の全周に亘って互いに所定の角度範囲を開けて複数設けられていることが好ましい。この考案によれば、前記支持片は前記一対の作動部材の全周に亘って互いに所定の角度範囲を開けて複数設けられていることにより、前記捕獲ワイヤは複数の前記支持片によって輪状に掛止されるので、前記捕獲ワイヤを輪状又は略輪状に前記一対の作動部材から離脱させることができ、野性動物の脚等を前記捕獲ワイヤで確実に緊縛できる。
【００１９】
なお、前記支持片は前記一対の作動部材のそれぞれに２つずつ設けられていてもよいし、３つずつ設けられていてもよいし、４つ以上ずつ設けられていてもよい。また、前記支持片は前記一対の作動部材に着脱自在に取り付けられていてもよいし、着脱不可能に固定又は一体形成されていてもよい。また、前記支持片は前記一対の作動部材の外周のうち前記捕獲ワイヤの設置位置より上側位置の設けられていることが望ましく、前記一対の作動部材の外周から外側に突出していることが望ましい。また、前記支持片は一方向に伸びる細長い形状を有していてもよく、例えば爪楊枝やマッチ棒である。前記一対の作動部材には前記支持片を保持可能な孔や凹部が設けられていてもよい。
【考案の効果】
【００２０】
以上、説明したように本考案によれば、前記踏み板に荷重が加わると荷重が加わるように前記保持部材が前記一対の作動部材を前記ばねの付勢力に抗って保持しており、所定の閾値より小さい荷重が前記保持部材に加わると前記保持部材が前記一対の作動部材の保持を継続するが、所定の閾値以上の荷重が前記保持部材に加わる前記保持部材が前記一対の作動部材の保持を解除するように構成したので、前記踏み板に乗る野性動物の重量によって前記一対の作動部材を作動させたり作動させなかったりすることができるという優れた効果を奏し得る。
【図面の簡単な説明】
【００２１】
【図１】本考案に係る実施形態の動物捕獲用罠を示す概略斜視図である。
【図２】本実施形態の動物捕獲用罠の作動状態を示す概略斜視図である。
【図３】本実施形態の動物捕獲用罠を示す概略平面図である。
【図４】図３のＩＶ−ＩＶ'線に沿って切断した状態を示す概略断面図である。
【図５】野性動物の脚が本実施形態の動物捕獲用罠を踏んだ状態を示す概略断面図（ａ）と、野性動物の脚が本実施形態の動物捕獲用罠によって括られた状態を示す概略断面図（ｂ）とである。
【図６】動物捕獲用罠の別の形態を示す概略斜視図である。
【図７】野性動物の脚が別の動物捕獲用罠を踏んだ状態を示す概略断面図（ａ）と、野性動物の脚が別の動物捕獲用罠によって括られた状態を示す概略断面図（ｂ）とである。
【図８】本実施形態の捕獲ワイヤを模式的に示す一部断面図である。
【考案を実施するための形態】
【００２２】
以下、本考案に係る実施形態の動物捕獲用罠について詳細に説明する。図１は本考案に係る実施形態の動物捕獲用罠を示す概略斜視図である。図２は本実施形態の動物捕獲用罠の作動状態を示す概略斜視図である。図３は本実施形態の動物捕獲用罠を示す概略平面図である。図４は図３のＩＶ−ＩＶ'線に沿って切断した状態を示す概略断面図である。この動物捕獲用罠１００は、一対の角材１１１、１１２と、この一対の角材１１１、１１２の上に設置される作動装置１２０と、この作動装置１２０に装着される捕獲ワイヤ１４１と、この捕獲ワイヤ１４１を付勢するばね装置１４２と、を有している。なお、一対の角材１１１、１１２は台に相当するものである。
【００２３】
図１と図２に示すように、一対の角材１１１、１１２は一方向に伸びる断面矩形状の角柱であり、その上に作動装置１２０を載置可能に構成されている。上記作動装置１２０は、踏み板１２１と、この踏み板１２１に回動自在に取り付けられた一対の作動部材１２２、１２３と、これら一対の作動部材１２２、１２３を上方に付勢する一対のばね１２４、１２５と、これら一対のばね１２４、１２５の付勢力に抗って一対の作動部材１２２、１２３を保持する一対の保持部材１３１、１３５と、を有している。なお、一方の角材１１１と他方の角材１１２は同一物であり、一方の作動部材１２２と他方の作動部材１２３は同一物であり、一方のばね１２４と他方のばね１２５は同一物であり、一方の保持部材１３１と他方の保持部材１３５は同一物である。
【００２４】
この踏み板１２１は平板状であり、その中央部分に上面から底面まで貫通する孔が形成されている。踏み板１２１の上面には一対の連結部材１２６、１２７がねじ等によって取り付けられている。この一対の連結部材１２６、１２７は、踏み板１２１の上面に沿って固定される第１の平板部と、踏み板１２１の上面から垂直に立設される第２の平板部とを有する断面Ｌ字状又は断面略Ｌ字状の部材であり、踏み板１２１の外縁位置に又は外縁の近くの位置に互いに対向するように配置されている。この第２の平板部は一対の作動部材１２２、１２３の端部を連結可能に構成されている。なお、一方の連結部材１２６と他方の連結部材１２７は同一物である。
【００２５】
一対の作動部材１２２、１２３はＵ字状又は半円弧状であり、その外面に捕獲ワイヤ１４１を引っ掛け可能な凹溝１２２ａ、１２３ａがそれぞれ形成されている。この凹溝１２２ａ、１２３ａは断面Ｕ字状又は断面半円弧状であり、一対の作動部材１２２、１２３に沿って半円弧状にそれぞれ伸びている。一対のばね１２４、１２５はねじりコイルばねである。
【００２６】
また、一対の保持部材１３１、１３５は踏み板１２１の上面にねじ等によって取り付けられており、ホルダ１３２、１３６と、このホルダ１３２、１３６によって保持される掛止片１３３、１３７とを有している。なお、一方のホルダ１３２と他方のホルダ１３６は同一物であり、一方の掛止片１３３と他方の掛止片１３７は同一物である。
【００２７】
これらホルダ１３２、１３６は踏み板１２１の上面に沿って固定される第１の平板部と、踏み板１２１の上面から垂直に立設される第２の平板部とを有する断面Ｌ字状又は断面略Ｌ字状である。これらホルダ１３２、１３６の第２の平板部には掛止片１３３、１３７を保持可能な複数の孔が形成されている。これら複数の孔は第２の平板部の一方の板面から他方の板面まで貫通しており、水平方向又は略水平方向に互いに所定間隔を開けて形成されている。これら複数の孔はその１つに１つの掛止片１３３、１３７が挿通可能に構成されている。これら複数の孔の軸線は互いに平行でもよいし、互いに交差していてもよい。上記掛止片１３３、１３７は一方向に伸びる細長い形状を有しており、例えば爪楊枝である。これら掛止片１３３、１３７はそれぞれ複数設けられている。これら掛止片１３３、１３７はホルダ１３２、１３６の複数の孔に挿通されて保持されており、掛止片１３３、１３７の先端部１３３ａ、１３７ａがホルダ１３２、１３６から外側に突出している。図示例では、一対のホルダ１３２、１３６に孔が３つずつ形成されているとともに、掛止片１３３、１３７が３つずつ設けられており、一方の掛止片１３３が一方のホルダ１３２の孔に挿通されており、他方の掛止片１３７が他方のホルダ１３６の孔に挿通されている。
【００２８】
一対の作動部材１２２、１２３は一対の連結部材１２６、１２７を介して踏み板１２１に回動自在に連結されている。具体的には、一対の作動部材１２２、１２３におけるそれぞれの一端部が一方の連結部材１２６における第２の平板部に互いに所定間隔を開けてボルトとナットによって回動自在に連結されており、一対の作動部材１２２、１２３におけるそれぞれの他端部が他方の連結部材１２７における第２の平板部に互いに所定間隔を開けてボルトとナットによって回動自在に連結されている。したがって、一対の作動部材１２２、１２３はそれぞれ両端部を回動中心として互いに独立して回動可能に構成されており、この回動によって横倒姿勢と起立姿勢とに姿勢変形可能になっている。
【００２９】
図３と図４に示すように、踏み板１２１は円板状であり、一対の作動部材１２２、１２３は、互いに開いた横倒姿勢で、平面視楕円枠状又は平面視長円枠状であり、一対の作動部材１２２、１２３の中央部分が踏み板１２１の外縁から外側に張り出ている。この中央部分は円弧状に湾曲しており、一対の角材１１１、１１２によって支持可能に構成されている。このため、一対の角材１１１、１１２によって踏み板１２１に干渉することなく、一対の作動部材１２２、１２３のみを支持できるようになっている。なお、一対の作動部材１２２、１２３の中央部分は一対の作動部材の延在部に相当するものである。
【００３０】
図１と図２に示すように、一対のばね１２４、１２５は一対の作動部材１２２、１２３と踏み板１２１との間にそれぞれ介在されている。具体的には、一方のばね１２４は、一方の作動部材１２２の端部と一方の連結部材１２６とを連結するボルトに巻き付けられており、その両端部が一方の作動部材１２２の底面と踏み板１２１の上面とをそれぞれ支持している。この状態で、一方の作動部材１２２を倒すと、一方の作動部材１２２は一方のばね１２４の付勢力に抗って回動して横倒姿勢になり、一方のばね１２４は一方の作動部材１２２を横倒姿勢から起立姿勢に跳ね上げるように付勢する。このため、一方の作動部材１２２は一方のばね１２４によって横倒姿勢から起立姿勢に跳ね上げられるようになっている。
【００３１】
同様に、他方のばね１２５は、他方の作動部材１２３の端部と他方の連結部材１２７とを連結するボルトに巻き付けられており、その両端部が他方の作動部材１２３の底面と踏み板１２１の上面とをそれぞれ支持している。この状態で、他方の作動部材１２３を倒すと、他方の作動部材１２３は他方のばね１２５の付勢力に抗って回動して横倒姿勢になり、他方のばね１２５は他方の作動部材１２３を横倒姿勢から起立姿勢に跳ね上げるように付勢する。このため、他方の作動部材１２３は他方のばね１２５によって横倒姿勢から起立姿勢に跳ね上げられるようになっている。
【００３２】
図３と図４に示すように、一対の保持部材１３１、１３５は一対の作動部材１２２、１２３をそれぞれ保持可能に構成されている。具体的には、一対の保持部材１３１、１３５の掛止片１３３、１３７は一対のばね１２４、１２５の付勢力に抗ってそれぞれ保持可能に構成されており、一対の保持部材１３１、１３５のホルダ１３２、１３６は一対の作動部材１２２、１２３にそれぞれ接近するように踏み板１２１の外縁位置又は外縁の近くの位置に配置されている。掛止片１３３、１３７はホルダ１３２、１３６の孔にそれぞれ挿通された状態で、一対の作動部材１２２、１２３までそれぞれ掛け渡されており、その先端部が横倒姿勢の一対の作動部材１２２、１２３の上部にそれぞれ当接している。これにより、掛止片１３３、１３７は一対の作動部材１２２、１２３を上から一対のばね１２４、１２５の付勢力に抗って横倒姿勢にそれぞれ保持している。
【００３３】
なお、一対の保持部材１３１、１３５は互いに対向するように配列されていてもよいし、互いに対向しないように配列されていてもよい。また、一対の保持部材１３３、１３５の掛止片１３３、１３７は一対の作動部材１２２、１２３の中央部分を保持してもよいし、一対の作動部材１２２、１２３のいずれか一方の端部側を保持してもよい。図示例では、一対の保持部材１３３、１３５は互いに対向するように配列されており、その掛止片１３３、１３７が一対の作動部材１２２、１２３の中央部分をそれぞれ保持している。
【００３４】
ここで、一方の掛止片１３３は、少なくとも１つで一方の作動部材１２２を一方のばね１２４の付勢力に抗って保持可能に構成されており、この一方の作動部材１２２を保持した状態で、所定の閾値以上の荷重が加わると折損する、すなわち折れて壊れるように構成されている。同様に、他方の掛止片１３７は、少なくとも１つで他方の作動部材１２３を他方のばね１２５の付勢力に抗って保持可能に構成されており、この他方の作動部材１２３を保持した状態で、所定の閾値以上の荷重が加わると折損するように構成されている。このため、これら掛止片１３３、１３７の数量を任意に選択して一対の作動部材１２２、１２３をそれぞれ保持することができるようになっており、掛止片１３３、１３７の数量の増減によって一対の作動部材１２２、１２３の保持強度がそれぞれ増減するようになっている。
【００３５】
図３と図４に示すように、作動装置１２０は一対の角材１１１、１１２の上に積み重ねられている。具体的には、一対の角材１１１、１１２は、その長手方向が水平又は略水平になる横倒姿勢で、踏み板１２１の直径より僅かに幅広の間隔を開けて地面Ｇの上に設置されており、この一対の角材１１１、１１２の上に作動装置１２０が載置されて、この作動装置１２０における一対の作動部材１２２、１２３の中央部分が一対の角材１１１、１１２によっての上に設置されている。したがって、作動装置１２０の一対の作動部材１２２、１２３が一対の角材１１１、１１２によってそれぞれ支持されており、作動装置１２０の踏み板１２１が一対の角材１１１、１１２の間に上下動可能に配置されている。なお、一対の角材１１１、１１２は踏み板１２１より幅厚に構成されていることが望ましい。また、一対の角材１１１、１１２は平行に配列されていてもよいし、平面視ハの字の如くその長手方向に伸びる軸線が交差するように配列されていてもよい。
【００３６】
図４に示すように、この状態において、一対の角材１１１、１１２に対応する部分では、地面Ｇの上に一対の角材１１１、１１２と一対の作動部材１２２、１２３と掛止片１３３、１３７の先端部とが上下方向に積層されており、掛止片１３３、１３７の先端部は一対の作動部材１３３、１３７に支持されている。一対の角材１１１、１１２の内側に対応する部分では、踏み板１２１が空中に浮いており、この踏み板１２１とホルダ１３２、１３６と掛止片１３３、１３７の基端部とが上下方向に連結されている。したがって、掛止片１３３、１３７はその先端部が一対の作動部材１２２、１２３に引っ掛けられて、踏み板１２１を空中に吊り下げた状態になっている。
【００３７】
図５（ａ）は野性動物の脚が動物捕獲用罠を踏んだ状態を示す概略断面図であり、図５（ｂ）は野性動物の脚が動物捕獲用罠によって括られた状態を示す概略断面図である。図５（ａ）に示すように、掛止片１３３、１３７が踏み板１２１を空中に吊り下げた状態で、掛止片１３３、１３７の先端部は一対の作動部材１２２、１２３によって上下動不能に支持されており、掛止片１３３、１３７の基端部は踏み板１２１と一緒に上下動可能に構成されている。このため、野性動物の脚Ｌが踏み板１２１を踏むと、掛止片１３３、１３７の先端部が支持された状態で、掛止片１３３、１３７の基端部に荷重が下方向に加わるようになっている。すなわち、掛止片１３３、１３７が基端部と先端部との間で折損するように荷重が加わるようになっている。このとき、踏み板１２１を踏む野性動物の重さが増減すると、掛止片１３３、１３７に加わる荷重が増減するようになっている。
【００３８】
踏み板１２１を踏む野性動物が軽く、掛止片１３３、１３７に加わる荷重が所定の閾値より小さい場合、つまり、掛止片１３３、１３７の形状保持可能な範囲内である場合には、掛止片１３３、１３７は折損することなく、踏み板１２１と一対の作動部材１２２、１２３との保持を継続するようになっている。一方、図５（ｂ）に示すように、野性動物が重く、掛止片１３３、１３７に加わる荷重が所定の閾値以上に大きい場合、つまり、掛止片１３３、１３７の形状保持可能な範囲を超える場合には、掛止片１３３、１３７が折損して、先端部１３３ａ、１３７ａと基端部１３３ｂ、１３７ｂとに分断されて、踏み板１２１と一対の作動部材１２２、１２３との保持を解除するようになっている。したがって、動物捕獲用罠１００は野性動物の重さによって一対の作動部材１２２、１２３を作動させたり作動させなかったりすることができる。
【００３９】
このとき、掛止片１３３、１３７の数量を増加させると、掛止片１３３、１３７の１つ当りに加わる荷重が小さくなるので、掛止片１３３、１３７が全体として折れ難くなる。一方、掛止片１３３、１３７の数量を減少させると、掛止片１３３、１３７の１つ当りに加わる荷重が大きくなるので、掛止片１３３、１３７が全体として折れ易くなる。つまり、掛止片１３３、１３７の数量が増減すると、掛止片１３３、１３７が一対の作動部材１２２、１２３を保持する強度が増減するようになっている。したがって、掛止片の数量を増減させて、一対の作動部材１２２、１２３が作動する閾値を調節できる。
【００４０】
例えば、大きい猪の如く重量が重い大型動物のみを捕獲する場合には、掛止片１３３、１３７を３つずつ合計６つ使用し、小さい猪の如く重量が軽い小動物を含めて野性動物を捕獲する場合には、掛止片１３３、１３７を２つずつ合計４つ使用する。すなわち、掛止片１３３、１３７を合計６つ使用した場合には、小動物が踏み板１２１を踏んでも、一対の作動部材１２２、１２３が作動せず、大型動物が踏み板１２１を踏んだときだけ、一対の作動装置１２２、１２３が作動するようになっている。一方、掛止片１３３、１３７を合計４つ使用した場合には、小動物と大型動物とのいずれが踏み板１２１を踏んでも、一対の作動部材１２２、１２３が作動するようになっている。
【００４１】
図３と図４に示すように、捕獲ワイヤ１４１は一対の作動部材１２２、１２３の凹溝１２２ａ、１２３ａに引っ掛けられて、一対の作動部材１２２、１２３の全周に亘って輪状に巻き付けられた状態で、後述のばね装置１４２によって縮径方向、すなわち捕獲ワイヤ１４１の輪が小さくなる方向に付勢されている。一対の作動部材１２２、１２３が傾斜姿勢になると、つまり、一対の作動部材１２２、１２３の中央部分が回動中心である両端部より上側に位置すると、一対の作動部材１２２、１２３は捕獲ワイヤ１４１の付勢力によって上方に回動するようになっている。また、この一対の作動部材１２２、ｌ２３は一対のばね１２４、１２５によって横倒姿勢から起立姿勢に跳ね上げられるように付勢されている。このため、捕獲ワイヤ１４１が一対の作動部材１２２、１２３を回動させる前に、一対のばね１２４、１２５が一対の作動部材１２２、１２３を回動させて、捕獲ワイヤ１４１を跳ね上げるようになっている。したがって、動物捕獲用罠１００は地面Ｇに穴を掘ってその中に設置することなく、地面Ｇの上に設置できるとともに、一対のばね１２４、１２５が設けられていない場合に比べて、捕獲ワイヤ１４１を速く跳ね上げることができる。
【００４２】
捕獲ワイヤ１４１を一対の作動部材１２２、１２３に引っ掛けた状態で、一対のばね１２４、１２５が一対の作動部材１２２、１２３を跳ね上げて、一対の作動部材１２２、１２３が傾斜姿勢になると、捕獲ワイヤ１４１は付勢力によって一対の作動部材１２２、１２３を上方に回動させるようになっている。このため、一対の作動部材１２２、１２３は傾斜姿勢から一対のばね１２４、１２５と捕獲ワイヤ１４１との両方によって回動させられるようになっている。すなわち、一対の作動部材１２２、１２３の回動速度は一対の作動部材１２２、１２３の傾斜姿勢から加速する。したがって、一対のばね１２４、１２５が設けられていない場合に比べて、捕獲ワイヤ１４１は高く跳ね上げられる。
【００４３】
図６は動物捕獲用罠の別の形態を示す概略斜視図である。図７（ａ）は野性動物の脚が別の動物捕獲用罠を踏んだ状態を示す概略断面図であり、図７（ｂ）は野性動物の脚が別の動物捕獲用罠によって括られた状態を示す概略断面図である。図６に示すように、この野性動物用罠２００では、一対の作動部材１２２、１２３の外周に捕獲ワイヤ１４１を引っ掛け可能な支持片２０２、２０３がそれぞれ取り付けられている。なお、一方の支持片２０２と他方の支持片２０３は同一物である。上記野性動物用罠１００と同一部分については、同一符号を付し、その説明は省略する。
【００４４】
これら支持片２０２、２０３は、一方向に伸びる細長い形状を有しており、荷重が加わると折損可能に構成されており、例えば爪楊枝である。一対の作動部材１２２、１２３の外周には、凹溝１２２ａ、１２３ａより上側位置に、上記支持片２０２、２０３を保持可能な孔がそれぞれ形成されている。これら支持片２０２、２０３は一対の作動部材１２２、１２３の孔にそれぞれ挿入されており、この孔によって保持された状態で、一対の作動部材１２２、１２３の外周から外側にそれぞれ突出している。これにより、これら支持片２０２、２０３は、一対の作動部材１２２、１２３の凹溝１２２ａ、１２３ａから離脱した捕獲ワイヤ１４１が引っ掛かるようになっているとともに、捕獲ワイヤ１４１が突き当ると折損するようになっている。
【００４５】
なお、この孔は一対の作動部材１２２、１２３の外周から内周まで貫通していてもよいし、貫通していなくてもよい。つまり、この孔は一対の作動部材１２２、１２３の外周から内周に向かって凹む凹部であってもよい。図示例では、この孔は一対の作動部材１２２、１２３の外周から内周まで貫通しており、支持片２０２、２０３が一対の作動部材１２２、１２３を交差するようにこの孔に挿通されている。
【００４６】
また、この孔は一対の作動部材１２２、１２３に１つずつ設けられていてもよいし、２つ以上の複数ずつ設けられていてもよい。この孔が一対の作動部材１２２、１２３に１つずつ設けられている場合には、一対の作動部材１２２、１２３の中央部分に設けられていることが望ましい。この孔が一対の作動部材１２２、１２３に複数ずつ設けられている場合には、これら複数の孔は互いに所定の角度範囲を開けて設けられていることが望ましい。捕獲ワイヤ１４１を一対の作動部材１２２、１２３から輪状又は略輪状に離脱させるためである。図示例では、この孔は一対の作動部材１２２、１２３に３つずつ形成されている。このうち、１つは一対の作動部材１２２、１２３の中央部分に設けられており、他の２つはこの中央部分の孔から約５０°又は約６０°の角度範囲を開けて一対の作動部材１２２、１２３の両端側にそれぞれ設けられている。
【００４７】
図７（ａ）と図７（ｂ）に示すように、捕獲ワイヤ１４１を動物捕獲用罠２００の一対の作動部材１２２、１２３の凹溝１２２ａ、１２３ａに引っ掛けて、一対の作動部材１２２、１２３の全周に亘って輪状に巻き付けて、後述のばね装置１４２によって縮径方向に付勢された状態で、野性動物の脚Ｌが踏み板１２１を踏んで、一対の作動部材１２２、１２３が跳ね上がると、捕獲ワイヤ１４１が一対の作動部材１２２、１２３の凹溝１２２ａ、１２３ａから離脱して、支持片２０２、２０３に引っ掛かってから、捕獲ワイヤ１４１がその付勢力によって支持片２０２、２０３を折損して、一対の作動部材１２２、１２３から離脱するようになっている。これにより、支持片２０２、２０３が一対の作動部材１２２、１２３に取り付けられていない場合に比べて、捕獲ワイヤ１４１が支持片２０２、２０３を折損する時間分だけ、捕獲ワイヤ１４１が一対の作動部材１２２、１２３から離脱するタイミングが遅れる。
【００４８】
捕獲ワイヤ１４１が一対の作動部材１２２、１２３から離脱するタイミングが遅れると、この遅れた時間分だけ長く、捕獲ワイヤ１４１は支持片２０２、２０３を介して一対の作動部材１２２、１２３によって持ち上げられ、捕獲ワイヤ１４１が一対の作動部材１２２、１２３から離脱する位置Ｈが、支持片２０２、２０３が設けられていない場合の一対の作動部材１２２、１２３から離脱する位置ｈに比べて高くなる（Ｈ＞ｈ）。これにより、支持片２０２、２０３が設けられていない場合に比べて、より高い位置、すなわち付け根側で野性動物の脚Ｌを捕獲ワイヤ１４１で括ることができる。
【００４９】
図８に示すように、捕獲ワイヤセット１４０は、捕獲ワイヤ１４１と、この捕獲ワイヤ１４１のループ部１４１Ｌが縮径する方向に付勢する、つまり引き付ける付勢手段であるばね装置１４２とを有している。捕獲ワイヤ１４１の先端は先端保持具１４１ａによって基端側に任意のワイヤ部位に巻回保持された巻回部とされ、当該巻回部と上記ワイヤ部位との間に拡径可能なループ部１４１Ｌが構成される。
【００５０】
この捕獲ワイヤ１４１のループ部１４１Ｌよりも基部側にあるワイヤ部位には、上記ばね装置１４２が取り付けられている。このばね装置１４２は、ワイヤの先端側に配置される接続管１４３と、コイルバネ１４４と、ワイヤの基端側に配置されるばね圧縮管１４５とがワイヤ１４１に先端側から順次挿通された状態で取り付けられている。コイルバネ１４４の両端は接続管１４３とばね圧縮管１４５の内部に収容された状態でそれぞれ保持される。接続管１４３の端部は捕獲ワイヤ１４１の先端の巻回部に当接し、上記ばね圧縮管１４５の端部はストッパ１４１ｂに当接する。コイルバネ１４４を押し縮めながら接続管１４３に当接した巻回部を基部側に移動させることで、ループ部１４１Ｌを大きくすることができ、この状態でループ部１４１Ｌを全体として平面視楕円枠形状又は平面視長円枠形状に構成された上記一対の作動部材１２２、１２３の凹溝１２２ａ、１２３ａに掛け渡すことにより、ループ部１４１Ｌが作動部材１２２、１２３によって保持される。なお、ストッパ１４１ｂの捕獲ワイヤ１４１に沿った位置を調整することで、ループ部１４１Ｌを縮径する方向に作用する付勢力を調整することが可能である。
【００５１】
また、捕獲ワイヤ１４１の後端部には連結部１４６を介して延長ワイヤ１４７が連結されている。この連結部１４６は捕獲ワイヤ１４１と延長ワイヤ１４７とを角度調節自在に連結している。この延長ワイヤ１４７の先端を付近の樹木や支柱などの固定物に取り付けることで、ループ部１４１Ｌで脚等が緊縛された動物を係留することができる。なお、延長ワイヤ１４７を用いずに捕獲ワイヤ１４１を直接固定物に取り付けて用いても構わない。
【００５２】
なお、上記捕獲ワイヤ１４１は先端に巻回部を設けることでループ部１４１Ｌを構成しているが、捕獲ワイヤ１４１の両端を上記ばね装置１４２に挿通させて、ばね装置１４２から出た捕獲ワイヤ１４１の両端部をストッパ１４１ｂに固定するなど、結果的にループ部１４１Ｌが縮径する方向に捕獲ワイヤ１４１Ｌが付勢手段により付勢されるように構成されていればよい。
【００５３】
上述のように構成された動物捕獲用罠１００、２００は、捕獲ワイヤ１４１のループ部１４１Ｌを、一対のストッパ１３１、１３５によって横倒姿勢に保持された一対の作動装置１２２、１２３の凹溝１２２ａ、１２３ａに引っ掛けて、ばね装置１４２によって捕獲ワイヤ１４１に付勢力を与えた状態にした後で、一対の角材１１１、１１２を地面Ｇの上又は地中の中に設置して、作動装置１２０を一対の角材１１１、１１２の上に配置し、土や木の葉などで目隠しをしてから、捕獲ワイヤ１４１の基端部を直接又は間接に固定物に固定して、設置作業が完了する。
【００５４】
図５（ａ）と図５（ｂ）に示すように、この状態において、野性動物の脚Ｌが踏み板１２１を踏むと、野性動物が軽く、掛止片１３３、１３７に加わる荷重が所定の閾値より小さい場合には、掛止片１３３、１３７が踏み板１２１と一対の作動部材１２２、１２３との保持を継続して、一対の作動部材１２２、１２３が跳ね上がらない。一方、野性動物が重く、掛止片１３３、１３７に加わる荷重が所定の閾値以上に大きい場合には、掛止片１３３、１３７が折損して、踏み板１２１が降下するとともに一対の作動部材１２２、１２３が一対のばね１２４、１２５によって跳ね上がってから、捕獲ワイヤ１４１が一対の作動部材１２２、１２３から離脱して、野性動物の脚Ｌを括る。
【００５５】
本実施形態においては、一対の作動部材１２２、１２３が掛止片１３３、１３７によって一対のばね１２４、１２５の付勢力に抗って横倒姿勢に保持されており、踏み板１２１に荷重が加わると掛止片１３３、１３７に荷重が加わるようになっており、これら掛止片１３３、１３７はその数量を任意に選択して一対の作動部材１２２、１２３を保持できるように構成されていることにより、これら掛止片１３３、１３７の数量の増減させて一対の作動部材１２２、１２３の保持強度を増減させることができるので、これら掛止片１３３、１３７の数量を増減させて一対の作動部材１２２、１２３が作動する閾値を調節でき、踏み板１２１を踏む野性動物の重さに基づいて捕獲対象を絞ることができる。
【００５６】
この実施形態においては、一対の保持部材１３１、１３５は踏み板１２１に取り付けられており、これら一対の保持部材１３１、１３５の掛止片１３３、１３７が踏み板１２１に回動可能に構成された一対の作動部材１２２、１２３を一対のばね１２４、１２５の付勢力に抗って横倒姿勢に踏み板１２１の上に保持しているので、一対の作動部材１２２、１２３が一対のばね１２４、１２５によって突然跳ね上がることを防止でき、作動装置１２０を安全に取り扱うことができる。
【００５７】
本考案者が本実施形態の動物捕獲用罠１００、２００を実際に作って実験したところ、一対の角材１１１、１１２の厚みを約１５ｃｍにしても動物捕獲用罠１００、２００が十分に作動することが確認できた。これにより、穴を掘ることなく地面Ｇの上に動物捕獲用罠１００、２００を設置でき、特に、山林で好適に使用できる。山林では木の根や石や岩によって穴掘りが困難であったり、この穴掘りによってケモノ道を荒らしてしまい野性動物に人間の気配を感じさせてしまうおそれがあったりするからである。
【００５８】
また、本考案者が本実施形態の動物捕獲用罠１００、２００を実際に作って実験したところ、一対の作動部材１２２、１２３の中央部分が踏み板１２１の上面から約９ｃｍ〜１０ｃｍの高さ位置まで跳ね上がることが確認できた。これにより、捕獲ワイヤ１４１は一対の作動部材１２２、１２３によって踏み板１２１から約９ｃｍ〜１０ｃｍの高さ位置まで持ち上げられた後で、一対の作動部材１２２、１２３から離脱して野性動物の脚を括るので、野性動物の足裏から約９ｃｍ〜１０ｃｍの上側位置（脚の付け根側位置）で野性動物の脚を括ることができ、一対の作動部材１２２、１２３によって跳ね上げられた捕獲ワイヤ１４１が野性動物の脚を括らない、いわゆる空振りを防止でき、野性動物の脚を確実に括ることができる。
【００５９】
尚、上記実施形態の動物捕獲用罠１００、２００は、上述の図示例にのみ限定されるものではなく、本考案の要旨を逸脱しない範囲内において種々変更を加え得ることは勿論である。例えば、本実施形態の動物捕獲用罠１００、２００において、一対の作動部材１２２、１２３の中央部分が踏み板１２１の外縁から外側に張り出されており、一対の作動部材１２２、１２３の中央部分が一対の角材１１１、１１２によって支持されているが、一対の作動部材１２２、１２３の中央部分が踏み板１２１の外縁より内側に配置されており、一対の作動部材１２２、１２３に踏み板１２１の外縁から張り出る突起や鍔部が設けられており、これら突起や鍔部が一対の角材１１１、１１２によって支持されていてもよい。
【００６０】
なお、本実施形態の動物捕獲用罠１００、２００において、一対の角材１１１、１１２は一方向に伸びているが、一方向に伸びていなくてもよいし、一対の角材１１１、１１２は角柱であるが、円柱でもよいし、中空の角筒や円筒でもよい。また、本実施形態の動物捕獲用罠１００、２００は一対の角材１１１、１１２を使用しているが、踏み板１２１を上下動可能に一対の作動部材１２２、１２３を支持可能な部材であればよく、一対の角材１１１、１１２の代わりに、内側が開口した１つの角筒状や円筒状の枠体でもよいし、平面視Ｕ字状の部材でもよい。また、本実施形態の動物捕獲用罠１００、２００において、掛止片１３３、１３７は所定の閾値以上の大きい荷重が加わると折損するが、塑性変形したり弾性変形したりしてもよい。
【００６１】
また、本実施形態の動物捕獲用罠１００、２００には一対のばね１２４、１２５がそれぞれ設けられているが、一対のばね１２４、１２５がそれぞれ設けられていなくてもよい。つまり、本実施形態の動物捕獲用罠１００、２００は一対の作動部材１２２、１２３が捕獲ワイヤ１４１の付勢力だけで跳ね上がるように構成されていてもよい。
【００６２】
なお、本実施形態の動物捕獲用罠２００において、支持片２０２、２０３は一方向に伸びる細長い形状を有しているが、捕獲ワイヤ１４１が乗り越え可能な突出量を備えた凸部や突起でもよい。また、本実施形態の動物捕獲用罠２００において、支持片２０２、２０３は荷重が加わると、すなわち捕獲ワイヤ１４１が突き当ると折損するように構成されているが、荷重が加わると塑性変形したり弾性変形したりするように構成されていてもよい。
【符号の説明】
【００６３】
１００、２００…動物捕獲用罠、１１１、１１２…一対の角材、１２０…作動装置、１２１…踏み板、１２２、１２３…作動部材、１２２ａ、１２３ａ…凹溝、１２４、１２５…ばね、１２６、１２７…連結部材、１３１、１３５…保持部材、１３２、１３６…ホルダ、１３３、１３７…掛止片、１３３ａ、１３７ａ…先端部、１３３ｂ、１３７ｂ…基端部、１４０…捕獲ワイヤセット、１４１…捕獲ワイヤ、１４１Ｌ…ループ部、１４１ａ…先端保持具、１４１ｂ…ストッパ、１４２…ばね装置、１４３…接続管、１４４…コイルバネ、１４５…ばね圧縮管、１４６…連結部、１４７…延長ワイヤ、２０２、２０３…支持片、Ｌ…野性動物の脚、Ｇ…地面、Ｈ、ｈ…高さ位置
【図１】
0003177399.tif 000003
【図２】
0003177399.tif 000004
【図３】
0003177399.tif 000005
【図４】
0003177399.tif 000006
【図５】
0003177399.tif 000007
【図６】
0003177399.tif 000008
【図７】
0003177399.tif 000009
【図８】
0003177399.tif 000010